(57)【要約】【課題】設置方向に応じて金銭収納装置を良好に使用することができる、金銭収納装置用制御装置を提供する。【解決手段】金銭収納装置用制御装置１０は、筐体の２面に開閉蓋が設けられた金銭収納装置４０の開閉蓋の施錠を開閉蓋毎に解錠制御するドロア開閉機構制御部１５と、２つの開閉蓋の一方を、ドロア開閉機構制御部１５が解錠制御可能とするように、ユーザの操作に基づいて設定するドロア設定部１４と、を備え、ドロア開閉機構制御部１５は、所定のユーザ操作が行われると、ドロア設定部１４が設定した開閉蓋を解錠する構成とする。【選択図】図３
2020160625.tif 000002
【特許請求の範囲】
【請求項１】
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段を制御する金銭収納装置用制御装置であって、
前記施錠手段による施錠を前記開閉蓋毎に解錠制御する解錠制御手段と、
前記２つの開閉蓋の一方を、前記解錠制御手段が解錠制御可能とするように、ユーザの操作に基づいて設定する初期設定手段と、を備え、
前記解錠制御手段は、所定のユーザ操作が行われると、前記初期設定手段が設定した前記開閉蓋を解錠することを特徴とする金銭収納装置用制御装置。
【請求項２】
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段を制御する金銭収納装置用制御装置であって、
前記施錠手段による施錠を前記開閉蓋毎に解錠制御する解錠制御手段と、
前記金銭収納装置の姿勢を検知する姿勢検知手段と、を備え、
前記解錠制御手段は、所定のユーザ操作が行われ、かつ、前記姿勢検知手段が検知した前記金銭収納装置の姿勢が予め設定された姿勢であったときに、前記２つの開閉蓋のうちの予め設定された所定の一方を解錠することを特徴とする金銭収納装置用制御装置。
【請求項３】
前記姿勢検知手段は、当該金銭収納装置用制御装置の傾きを計測し、前記傾きに基づいて、前記金銭収納装置の姿勢を検知することを特徴とする請求項２に記載の金銭収納装置用制御装置。
【請求項４】
無線通信手段を備えて、前記金銭収納装置と無線通信接続可能であり、
前記金銭収納装置との無線通信により、前記施錠手段を解錠制御することを特徴とする請求項１ないし請求項３のいずれか一項に記載の金銭収納装置用制御装置。
【請求項５】
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置、
および請求項１ないし請求項４のいずれか一項に記載の金銭収納装置用制御装置を備える電子金銭登録機。
【請求項６】
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段をコンピュータで制御する開閉制御プログラムであって、
前記コンピュータを、
前記施錠手段による施錠を前記開閉蓋毎に解錠制御する解錠制御手段、
および、前記２つの開閉蓋の一方を、前記解錠制御手段が解錠制御可能とするように、ユーザの操作に基づいて設定する初期設定手段、として機能させ、
前記解錠制御手段は、所定のユーザ操作が行われると、前記初期設定手段が設定した前記開閉蓋を解錠することを特徴とする開閉制御プログラム。
【請求項７】
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段をコンピュータで制御する開閉制御プログラムであって、
前記コンピュータを、
前記施錠手段による施錠を前記開閉蓋毎に解錠制御する解錠制御手段、
および、前記金銭収納装置の姿勢を検知する姿勢検知手段、として機能させ、
前記解錠制御手段は、所定のユーザ操作が行われ、かつ、前記姿勢検知手段が検知した前記金銭収納装置の姿勢が予め設定された姿勢であったときに、前記２つの開閉蓋のうちの予め設定された所定の一方を解錠することを特徴とする開閉制御プログラム。
【発明の詳細な説明】
【技術分野】
【０００１】
本発明は、金銭収納装置用制御装置、電子金銭登録機、および開閉制御プログラムに関する。
【背景技術】
【０００２】
商品の販売や飲食物の提供を行う店舗では、商品の販売額等を計算、記録する電子機器、これらを入力するためのキーボード、金額等を表示する表示器、およびレシート（領収書）を印刷するプリンタ等を備える電子金銭登録機（キャッシュレジスタ）が使用されている。電子金銭登録機は、現金（売上金、釣銭）や金券等を収納する金銭収納装置（キャッシュドロア）と組み合わせて使用され、あるいは、金銭収納装置に設けられたドロア一体型として使用される。近年は、金銭収納装置だけでなくプリンタとも分離され、キーボードに代えてタッチパネルで入力するスマートフォンやタブレット等の情報端末が、アプリケーションソフトウェアをインストールされて電子金銭登録機として使用されている（例えば、特許文献１）。
【０００３】
金銭収納装置の多くは、正面が開口した背の低い直方体の筐体およびこの筐体に収納された引出しで構成され、引出しの内側が仕切られて硬貨や紙幣を額面別に収納し、上に電子金銭登録機が載置されまたは一体に設けられる（例えば、特許文献２）。このような金銭収納装置は、引出しが電気的手段によって筐体の外へ引き出される（開放される）ように構成され、電子金銭登録機のユーザ（店員）による所定の操作で開放される。所定の操作とは、金銭収納装置に現金等を出し入れする際の操作であり、具体的には、会計時に客からの支払いで現金を預かったときの、キーボードまたはタッチパネルの「現金」キーを打鍵（またはタップ）することや、両替を行うための「両替」キーを打鍵すること等である。
【先行技術文献】
【特許文献】
【０００４】
【特許文献１】特開２０１５−１８５２１号公報
【特許文献２】特開平０８−８３３８０号公報
【特許文献３】特開２０１５−６０３６８号公報
【発明の概要】
【発明が解決しようとする課題】
【０００５】
特許文献２に記載されているような引出しで構成された金銭収納装置は、載置した姿勢が安定し、上に表示画面の大きな電子金銭登録機等を設置するのに好適で、現金を出し入れし易い等、使い勝手に優れている。一方で、前記金銭収納装置は、引出しが引き出された状態を加味すると、設置スペースが奥行き方向に大きく、店舗の構造等によっては十分な容積のものを設置することができない等、改良の余地がある。そこで、硬貨や紙幣等のそれぞれの収納部を奥行き方向ではなく高さ方向に２段以上に積み重ねた、高さのある形状の金銭収納装置が開示されている（例えば、特許文献３）。さらに、イベントでの出店等、臨時で設置スペースを抑えるために、奥行きと高さで向きを入れ替えて使用可能な金銭収納装置が要求されている。
【０００６】
本発明の課題は、設置方向に応じて金銭収納装置を良好に使用することができる、金銭収納装置用制御装置、電子金銭登録機、および開閉制御プログラムを提供することである。
【課題を解決するための手段】
【０００７】
上記課題を解決するため、本発明に係る金銭収納装置用制御装置は、互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段を制御する装置であって、前記施錠手段による施錠を前記開閉蓋毎に解錠制御する解錠制御手段と、前記２つの開閉蓋の一方を、前記解錠制御手段が解錠制御可能とするように、ユーザの操作に基づいて設定する初期設定手段と、を備え、前記解錠制御手段は、所定のユーザ操作が行われると、前記初期設定手段が設定した前記開閉蓋を解錠することを特徴とする。
【０００８】
また、本発明に係る別の金銭収納装置用制御装置は、互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段を制御する装置であって、前記施錠手段による施錠を前記開閉蓋毎に解錠制御する解錠制御手段と、前記金銭収納装置の姿勢を検知する姿勢検知手段と、を備え、前記解錠制御手段は、所定のユーザ操作が行われ、かつ、前記姿勢検知手段が検知した前記金銭収納装置の姿勢が予め設定された姿勢であったときに、前記２つの開閉蓋のうちの予め設定された所定の一方を解錠することを特徴とする。
【０００９】
また、本発明に係る開閉制御プログラムは、互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段をコンピュータで制御するプログラムであって、前記コンピュータを、前記施錠手段による施錠を前記開閉蓋毎に解錠制御する解錠制御手段、および、前記２つの開閉蓋の一方を、前記解錠制御手段が解錠制御可能とするように、ユーザの操作に基づいて設定する初期設定手段、として機能させ、前記解錠制御手段は、所定のユーザ操作が行われると、前記初期設定手段が設定した前記開閉蓋を解錠することを特徴とする。
【００１０】
また、本発明に係る別の開閉制御プログラムは、互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段をコンピュータで制御するプログラムであって、前記コンピュータを、前記施錠手段による施錠を前記開閉蓋毎に解錠制御する解錠制御手段、および、前記金銭収納装置の姿勢を検知する姿勢検知手段、として機能させ、前記解錠制御手段は、所定のユーザ操作が行われ、かつ、前記姿勢検知手段が検知した前記金銭収納装置の姿勢が予め設定された姿勢であったときに、前記２つの開閉蓋のうちの予め設定された所定の一方を解錠することを特徴とする。
【発明の効果】
【００１１】
本発明に係る金銭収納装置用制御装置、電子金銭登録機、および開閉制御プログラムによれば、設置方向に応じて金銭収納装置を良好に使用することができる。
【図面の簡単な説明】
【００１２】
【図１Ａ】本発明の実施形態に係る金銭収納装置用制御装置を使用する金銭収納装置    の構造を説明するための、横置きとした俯瞰図である。
【図１Ｂ】本発明の実施形態に係る金銭収納装置用制御装置および図１Ａに示される    金銭収納装置の横置きでの使用時の俯瞰図である。
【図２Ａ】図１Ａに示される金銭収納装置の構造を説明するための、縦置きとした俯    瞰図である。
【図２Ｂ】図１Ａに示される金銭収納装置の構造を説明するための、縦置きとした仰    瞰図である。
【図２Ｃ】本発明の実施形態に係る金銭収納装置用制御装置および図２Ａに示される    金銭収納装置の縦置きでの使用時の俯瞰図である。
【図３】本発明の実施形態に係る金銭収納装置用制御装置、および金銭収納装置用制    御装置を使用する金銭収納装置の構成を示すブロック図である。
【図４】本発明の実施形態に係る金銭収納装置用制御装置による初期動作および金銭    収納装置の初期設定の手順を説明するフローチャートである。
【図５】本発明の実施形態に係る金銭収納装置用制御装置の、金銭収納装置の初期設    定画面を示す図である。
【図６】本発明の実施形態に係る金銭収納装置用制御装置の、売上登録画面を示す図    である。
【図７】本発明の実施形態に係る金銭収納装置用制御装置による金銭収納装置の姿勢    検出手順を説明するフローチャートである。
【図８】本発明の実施形態に係る金銭収納装置用制御装置による金銭収納装置の開放    手順を説明するフローチャートである。
【図９】本発明の別の実施形態に係る金銭収納装置用制御装置、および金銭収納装置    用制御装置を使用する金銭収納装置の構成を示すブロック図である。
【発明を実施するための形態】
【００１３】
以下、本発明を実施するための形態を、各図を参照して詳細に説明する。ただし、以下に示す形態は、本実施形態の技術思想を具現化するための金銭収納装置用制御装置、電子金銭登録機、および開閉制御プログラムを例示するものであって、以下に限定するものではない。図面に示す部材は、説明を明確にするために、大きさや位置関係等を誇張していることがあり、また、形状を単純化していることがある。また、以下の説明において、同一のまたは同質の部材や工程については、同一の符号を付し、説明を適宜省略する。
【００１４】
〔電子金銭登録機〕
本発明の実施形態に係る金銭収納装置用制御装置および電子金銭登録機の構成について、この金銭収納装置用制御装置を使用する金銭収納装置の構成と共に、図１Ａ、図１Ｂ、図２Ａ、図２Ｂ、図２Ｃ、および図３を参照して説明する。図１Ａ、図２Ａ、および図２Ｂは、金銭収納装置の構造を説明するための外観図であり、図１Ａは横置きとした俯瞰図、図２Ａは縦置きとした俯瞰図、図２Ｂは縦置きとした仰瞰図である。図１Ｂおよび図２Ｃは、本発明の実施形態に係る金銭収納装置用制御装置および金銭収納装置の使用時の外観図であり、図１Ｂは金銭収納装置を横置きにした使用時の俯瞰図、図２Ｃは金銭収納装置を縦置きにした使用時の俯瞰図である。図３は、本発明の実施形態に係る金銭収納装置用制御装置、および金銭収納装置の構成を示すブロック図である。本明細書においては、電子金銭登録機（キャッシュレジスタ、売上登録装置）は、金銭収納装置（キャッシュドロア）を含んだ構成を指すものとし、金銭収納装置を除く、計算機や表示器等を含む部分を金銭収納装置用制御装置（以下、制御装置）と称する。まず、金銭収納装置の構成について説明する。
【００１５】
（金銭収納装置）
金銭収納装置４０は、レシートプリンタ（以下、プリンタ）９を内蔵したキャッシュドロアである。金銭収納装置４０は、外形が、１辺が他の２辺よりも顕著に短い扁平な直方体であり、対向する２面の広面と、４面の細い長方形の面を有する。本明細書においては、金銭収納装置４０について、この短い１辺に沿った方向を短手方向と称する。金銭収納装置４０について、図１Ａに示すように、高さ（上下方向）が最小となるように広面の所定の一面を上に向けて水平に載置した状態を「横置き」と称する。この状態で、正面（ユーザ側）とする細長い面を第１開口面４ａと称し、上に向けた広面を第２開口面４ｂと称する。また、第１開口面４ａと第２開口面４ｂのいずれかであるかを示す場合に、第１開口面４ａを「狭面」と称し、第２開口面４ｂを「広面」と称することがある。また、横置き時の左右方向を幅方向、奥行き方向を引出し方向とそれぞれ称する。また、第１開口面４ａおよび第２開口面４ｂの両方と直交する細長い２面を側面と称する。一方、図２Ａおよび図２Ｃに示すように、奥行き方向が最小となるように第２開口面４ｂを正面として第１開口面４ａを上に向けて載置した状態を「縦置き」と称する。縦置き時は、幅方向が左右方向となるが、横置き時とは左右が入れ替わり、また、引出し方向が鉛直となる。なお、図１Ａおよび図２Ａに、横置き、縦置きそれぞれにおける正面方向を、白抜き矢印で示す。金銭収納装置４０は、横置きと縦置きの向きの異なる２通りの置き方で使用することができる。
【００１６】
金銭収納装置４０は、外装を構成する筐体４１、開閉蓋４３、およびプリンタ開閉蓋４６、ならびに、内部に収容された金銭収納ケース５、硬貨トレイ５２、紙幣トレイ５３，５４、およびプリンタ９を備える。金銭収納装置４０はさらに、内部に、図３に示すように、開閉機構６、制御部７１、記憶部７２、通信部７３、およびＮＦＣタグ８１，８２を備える。また、金銭収納装置４０は、開閉蓋４３の外面（表側）にスタンド４４およびストッパ４５を備え、第１開口面４ａと対向する面の四隅に脚部４７を突設して備える。また、金銭収納装置４０は、第１ドロアロック錠（シリンダ）６８を引出し状の金銭収納ケース５の前板５１に備え、第２ドロアロック錠６９を筐体４１の一方の側面に備える。また、筐体４１の他方の側面にＡＣアダプタ（図示省略）の差込口（ジャック）４８が設けられる。金銭収納装置４０は、商用電源からＡＣアダプタを経由して電力を供給されて、開閉機構６のモータ６３やプリンタ９等を駆動させる。あるいは、金銭収納装置４０はＡＣアダプタを内蔵していてもよい。また、金銭収納装置４０は、バッテリーを内蔵していてもよい。また、金銭収納装置４０は、ＵＳＢ（Universal Serial Bus）ポートが筐体４１の側面の差込口４８近傍等に設けられていてもよい。金銭収納装置４０は、主電源スイッチが、筐体４１の側面および開口面４ａ，４ｂの４面のいずれかに設けられていてもよい。
【００１７】
筐体４１は、金銭収納装置４０の外装を構成する。筐体４１は、内部を幅方向に２つに仕切る隔壁４２を備え（図２Ｃ参照）、仕切られた一方の空間の第１開口面４ａ側に金銭収納ケース５を収容し、第１開口面４ａの対向面側に開閉機構６（図３参照）を収容する。金銭収納ケース５の内部には現金や金券等が収納されることから、この一方の空間を金銭収納部と称する。また、筐体４１の金銭収納部には仕切られた他方の空間をプリンタ収容部と称し、プリンタ９および制御部７１（図３参照）等を収容する。筐体４１は、第１開口面４ａの金銭収納部側とプリンタ収容部側のそれぞれ、および第２開口面４ｂの金銭収納部側に、矩形の開口部が形成されている。第１開口面４ａの金銭収納部側の開口部には、引出し状の金銭収納ケース５の前板５１が嵌合する。第１開口面４ａのプリンタ収容部側の開口部には、開き戸式のプリンタ開閉蓋４６が嵌合し、第２開口面４ｂの開口部には開き戸式の開閉蓋４３が嵌合する。そのため、筐体４１は、第２開口面４ｂの開口部の幅方向に対向する端面の２箇所に、開閉蓋４３の取付軸４３ｐが嵌合する軸穴が形成されている。第１開口面４ａのプリンタ収容部側の開口部も同様である。また、筐体４１は、第１開口面４ａのプリンタ収容部側に、幅方向に細長いスリット状のレシート排出口４１ｓが形成されている。詳しくは、筐体４１は、プリンタ開閉蓋４６が嵌合する開口部を拡張して、プリンタ開閉蓋４６に隣接したレシート排出口４１ｓが形成されている。また、筐体４１および隔壁４２は、金銭収納部の内面に、金銭収納ケース５を抜き差しするための、金銭収納ケース５の側板の案内レール５ｒに係合する溝（図示省略）が形成されている。
【００１８】
開閉蓋４３は、矩形の板状部材であり、金銭収納装置４０の横置き時には外装（天板）の一部として閉めた状態のままとし、縦置き時に開閉する。そのため、開閉蓋４３は、第２ドロアロック錠６９の施錠によって、筐体４１に固定される。また、開閉蓋４３は、縦置き時における下辺を回転軸として、外側に開く開き戸となるように構成され、完全に開放したときに板面が水平となる。そのために、開閉蓋４３は、幅方向に対向する端面の下辺近傍に筐体４１の軸穴に嵌合する取付軸（とぼそ）４３ｐが突設されて回転自由に軸支され、少なくとも９０°まで回動可能に構成される。また、開閉蓋４３は、内面に、ラッチ（掛金）４３ｌおよび押さえ部材４３ｇが突設されている。ラッチ４３ｌは、開閉蓋４３の戸先（縦置き時における上辺）近傍の端に設けられた鉤状の部材であり、開閉蓋４３が閉まっているときに筐体４１内に配置された開閉機構６の係止部材（図示省略）に係止され、開閉機構６の動作で係止が外れることによって開閉蓋４３が開く。押さえ部材４３ｇは、開閉蓋４３の幅方向両端に設けられた細長い長方形の板状の部材であり、縦置き時において、開閉蓋４３の内面上に取り付けられる紙幣トレイ５４を幅方向両外側から把持して固定するために、内側の面に爪（図示省略）が突設されている。また、開閉蓋４３は、外面にスタンド４４およびストッパ４５が取り付けられ、これらを回転自由に軸支し、また、不使用時には収容する。そのために、開閉蓋４３は、スタンド収容部４３ｄおよびストッパ収容部４３ｅとして浅い凹みが外面に形成され、それぞれの戸先側の端の段差部にスタンド４４の取付軸４４ｐおよびストッパ４５の取付軸４５ｐが係合する軸穴が形成されている。
【００１９】
スタンド４４は、図２Ｃに示すように、金銭収納装置４０の縦置き時において、開放された開閉蓋４３を支持する脚となる。スタンド４４は一方、図１Ｂに示すように、金銭収納装置４０の横置き時において、金銭収納装置４０の上に制御装置１０を斜めに立てかけた状態で支持する。スタンド４４は、平面視でコの字型に２箇所で屈曲した板状の部材であり、両端に取付軸４４ｐが突設されて、開閉蓋４３の外面に形成されたスタンド収容部４３ｄの戸先側の端で回転自由に軸支される。ただし、スタンド４４は、９０°程度まで回動可能で、それ以上大きく回動しないように、スタンド収容部４３ｄの形状と併せて設計される。さらに、スタンド４４は、９０°回動して開閉蓋４３に対して垂直に立ち上げて、開閉蓋４３に向けて軽く押し込まれると、垂直に立ち上がった状態で固定される。また、スタンド４４の取付軸４４ｐは、開閉蓋４３の回転軸−戸先方向の中心またはそれよりも戸先寄りに配置される。金銭収納装置４０の縦置き時において、図２Ａに示すように開閉蓋４３が閉まって板面が鉛直方向であるときには、スタンド４４は、開閉蓋４３のスタンド収容部４３ｄに収容されている。そして、開閉蓋４３が外側へ回動して開き始めると外面が下を向くので、スタンド４４が自重で開閉蓋４３とは逆方向に回動して開閉蓋４３から垂れ下がる。開閉蓋４３が９０°回動して板面が水平になると、この板面に対してスタンド４４は垂直となり、下端（自由端）が載置面に接触すると、垂直な状態に固定される。閉めるために開閉蓋４３の戸先が持ち上げられると、スタンド４４が載置面から離れて回転自由な状態に戻る。一方、図１Ａおよび図１Ｂに示すように、金銭収納装置４０の横置き時において、スタンド４４は垂直に立ち上げられて固定される。
【００２０】
ストッパ４５は、図１Ａおよび図１Ｂに示すように、金銭収納装置４０の横置き時において、スタンド４４に立てかけられた制御装置１０の下辺近傍を係止して固定するための、出し入れ自在の爪状の部材である。そのために、ストッパ４５は、スタンド４４と同様に、取付軸４５ｐが突設されて、開閉蓋４３に回転自由に支持される。ただし、ストッパ４５は、９０°またはそれよりも小さい角度（例えば６０°）まで回動可能で、それ以上大きく回動しないように、ストッパ収容部４３ｅの形状と併せて設計される。また、ストッパ４５の取付軸４５ｐは、スタンド４４の取付軸４４ｐに対して開閉蓋４３の戸先側に配置される。
【００２１】
プリンタ開閉蓋４６は、矩形の板状部材であり、金銭収納装置４０の横置き時における上辺を回転軸として外側に開く開き戸で、手動で開閉される。プリンタ開閉蓋４６は、プリンタ９の印刷用紙（ロール紙）の入れ換え作業等の際に筐体４１のプリンタ収容部を開放するために設けられる。
【００２２】
脚部４７は、金銭収納装置４０の縦置き時に底面となる、第１開口面４ａの対向面に突設されたいわゆるゴム足である。脚部４７は、金銭収納装置４０の縦置き時における滑り止めや防振のために設けられ、また、縦置き時に底面とする面を判別し易くする。
【００２３】
金銭収納ケース５は、金銭収納装置４０の横置き時において上に開口した浅い箱型である。金銭収納ケース５は、横置き時においては、図１Ｂに示すように引出しとして抜き差しされ、そのために、引出し方向（抜き差し方向）に沿った案内レール５ｒが２枚の側板の外面に突設されている。また、金銭収納ケース５の前板５１は、横置き時における開閉蓋であり、前記したように第１ドロアロック錠６８が設けられる。金銭収納ケース５は、横置き時においては、手前側（前板５１側）から順に、２つの硬貨トレイ５２，５２、紙幣トレイ５３が、それぞれ着脱可能に取り付けられる。一方、縦置き時においては、金銭収納ケース５は閉めた状態のままであり、図２Ｃに示すように、内部に２つの硬貨トレイ５２，５２のみが引出し方向に間隔を空けて取り付けられる。そのために、金銭収納ケース５は、２枚の側板の内面に、硬貨トレイ５２，５２を、横置き、縦置きにおけるそれぞれの所定の位置で固定するための凹部が形成されている。さらに、縦置き用の凹部は、短手方向に延びた溝状に形成され、縦置き時において、硬貨トレイ５２，５２を短手方向に、すなわち奥から手前にスライド可能とする。
【００２４】
硬貨トレイ５２は、硬貨を額面別に収納するための細長い容器で、長手方向に３つに仕切られている。硬貨トレイ５２は、長手方向から見て略扇型であり、扇型の２本の直線（半径）の一方の部分が開口している。硬貨トレイ５２は、長手方向を幅方向として、金銭収納ケース５の内側の所定の位置に着脱可能に取り付けられる。そのために、硬貨トレイ５２は、側板の外面に、金銭収納ケース５の側板内面の凹部に係止する凸部が形成されている（図示省略）。また、硬貨トレイ５２は、金銭収納装置４０の横置き、縦置きのいずれにおいても、開口部を上に向け、扇型の弧の部分、すなわち柱面状の曲面を手前（ユーザ側）に向けて使用される。硬貨トレイ５２は、金銭収納ケース５の半分程度以下の深さに形成され、金銭収納装置４０の横置き時には、硬貨トレイ５２は金銭収納ケース５の上側（第２開口面４ｂ側）に寄せて取り付けられて、硬貨トレイ５２の下の空いた空間に釣銭用の棒金を収納することができる。
【００２５】
紙幣トレイ５３および紙幣トレイ５４はそれぞれ、紙幣や金券等を種類・額面別に収納する容器であり、３枚の仕切り板で４つに仕切られている。紙幣トレイ５３は、図１Ｂに示すように、金銭収納装置４０の横置き時に使用され、２つの硬貨トレイ５２と共に金銭収納ケース５の内側に取り付けられる。したがって、紙幣トレイ５３は、２つの硬貨トレイ５２と並べて金銭収納ケース５に納まる寸法に設計され、深さが金銭収納ケース５と同程度であり、また、仕切り板が略鉛直に配置される。一方、紙幣トレイ５４は、図２Ｃに示すように、金銭収納装置４０の縦置き時に使用され、開閉蓋４３の内面上の全面に取り付けられる。そのため、紙幣トレイ５４は、開閉蓋４３を閉めたときに、硬貨トレイ５２，５２の手前の空間に収容されるように、金銭収納ケース５の半分程度以下の深さに形成される。また、紙幣トレイ５４は、開閉蓋４３の開閉に伴い９０°回転するので、内壁面や内部の仕切り板を開閉蓋４３の板面に対して傾斜させて、収納した紙幣等が落下し難いように構成される。また、紙幣トレイ５４は、開閉蓋４３に対して回転軸から張り出して長く形成され、かつ、この張り出した部分が斜めに切欠いた形状に形成され、下側の硬貨トレイ５２を手前にスライド可能とする。
【００２６】
開閉機構６は、金銭収納ケース５および開閉蓋４３を閉塞した状態を保持する機械的手段であり、この閉塞状態を制御部７１によって解除されて開放させるように構成される。開閉機構６は、金銭収納ケース５を開閉する第１開閉機構６１、開閉蓋４３を開閉する第２開閉機構６２、開閉機構６１，６２を駆動するモータ６３、およびモータ６３の回転を開閉機構６１，６２に伝達するギヤ等の動力伝達手段（図示省略）を備える。開閉機構６のこれらの各部材は、開閉蓋４３や筐体４１の金銭収納部の金銭収納ケース５の周囲、主に先板の向こう側（第１開口面４ａの対向面側）の空間に収容される。
【００２７】
第１開閉機構６１は、筐体４１の第１開口面４ａの対向面側の内面に取り付けられた係止部材および弾性部材、ならびに、金銭収納ケース５の先板の外面に取り付けられた鉤状のラッチ（掛金）を備える（図示省略）。係止部材は、金銭収納ケース５が閉まっているときに金銭収納ケース５のラッチを係止し、モータ６３によって回動して係止を外す。弾性部材は、例えば圧縮コイルばねであり、金銭収納ケース５を第１開口面４ａの側へ突出させる方向に付勢する。第１開閉機構６１の係止部材の係止が外れると、弾性部材によって金銭収納ケース５が引出し方向に第１開口面４ａの側へスライドして開放される。また、開放された金銭収納ケース５が手動等で完全に閉められると、ラッチが係止部材に係止されて閉塞する。
【００２８】
第２開閉機構６２は、筐体４１の側面の内面に取り付けられた係止部材、および開閉蓋４３の回転軸回りに取り付けられた弾性部材を備える（図示省略）。係止部材は、開閉蓋４３が閉まっているときに開閉蓋４３の内面に取り付けられたラッチ（掛金）４３ｌを係止し、モータ６３によって回動して係止を外す。弾性部材は、例えばトーションばね（ねじれコイルばね）であり、開閉蓋４３を外側へ回動する方向に付勢する。第２開閉機構６２の係止部材の係止が外れると、弾性部材によって開閉蓋４３が外側へ回動して開き、金銭収納装置４０の縦置き時においては自重で完全に開放される。また、開放された開閉蓋４３が手動等で完全に閉められると、ラッチ４３ｌが係止部材に係止されて閉塞する。
【００２９】
モータ６３は、正逆回転可能な構成であり、正転すると第１開閉機構６１の係止部材を回動させ、逆転すると第２開閉機構６２の係止部材を回動させる。このようなモータ６３の駆動は、制御部７１によって制御される。
【００３０】
第１ドロアロック錠６８および第２ドロアロック錠６９は、それぞれ組となる鍵（図示省略）によって施錠、解錠される。第１ドロアロック錠６８は、金銭収納ケース５が閉まった状態で施錠されることにより、金銭収納ケース５を開放不可能な状態にする。第２ドロアロック錠６９は、開閉蓋４３が閉まった状態で施錠されることにより、開閉蓋４３を開放不可能な状態にする。第１ドロアロック錠６８と第２ドロアロック錠６９の鍵は、異なっていてもよいし、共通であってもよい。
【００３１】
制御部７１は、開閉機構６や通信部７３を制御するＣＰＵ（Central Processing Unit）またはマイコンである。記憶部７２は、フラッシュメモリやＲＡＭ（Random Access Memory）等からなり、制御部７１が開閉機構６を制御するためのプログラム等を記憶し、あるいはさらに、金銭収納装置４０が横置きまたは縦置きで使用されていることを一時的に記憶する。
【００３２】
通信部７３は、アンテナおよびアナログ回路等からなり、制御装置１０の通信部２１と通信可能に接続して、送受信を行う。通信方法としては、制御装置１０として使用されるスマートフォン等に標準で搭載されているWi-Fi（登録商標）やBluetooth（登録商標）等の無線通信が好適であり、さらにＵＳＢ等の有線通信機能を備えていてもよい。
【００３３】
ＮＦＣタグ８１およびＮＦＣタグ８２は、ＮＦＣ（Near Field Communication）用のアンテナ、アナログ回路、および不揮発性メモリ等を備える公知のＮＦＣタグである。ＮＦＣタグ８１，８２は、外部（制御装置１０）から通信部７３に接続するための情報をメモリに格納し、制御装置１０のＮＦＣ通信部２２と接続して前記情報を取得させる。さらに、ＮＦＣタグ８１は金銭収納装置４０が横置きで使用されることを示す識別情報をメモリに記憶し、ＮＦＣタグ８２は縦置きで使用されることを示す識別情報をメモリに記憶している。本実施形態においては、ＮＦＣタグ８１，８２の一方が、制御装置１０を金銭収納装置４０に接触させることによってＮＦＣによる通信を開始し、Bluetooth（登録商標）またはWi-Fi（登録商標）による通信を行う通信部７３に引き継ぐ。そのために、ＮＦＣタグ８１はスタンド４４に取り付けられ、ＮＦＣタグ８２は金銭収納ケース５の前板５１の外面上に取り付けられる。
【００３４】
プリンタ９は、印刷媒体としてロール紙を格納し、ロール紙に印字し、印字されたロール紙（レシートＲ）を切り離すオートカッター等を備えた公知のレシートプリンタであり、ダイレクトサーマル方式（感熱式）やドットインパクト方式等が適用される。プリンタ９は、レシートＲを筐体４１のレシート排出口４１ｓから排出し、その際、印字面が第２開口面４ｂの側となるように筐体４１のプリンタ収容部に収容される。プリンタ９は、ロール紙を回転させながら印字を行って切断する印字部９１、制御装置１０の通信部２１と有線または無線通信可能に接続して送受信を行う通信部９２、印字部９１および通信部９２を制御するＣＰＵからなる制御部９３、およびフラッシュメモリやＲＡＭ等からなる記憶部９４を備える。なお、通信部９２、制御部９３、および記憶部９４はそれぞれ、金銭収納装置４０の通信部７３、制御部７１、および記憶部７２に統合されていてもよい。
【００３５】
（金銭収納装置用制御装置）
本発明の実施形態に係る制御装置について説明する。図１Ｂ、図２Ｃ、および図３に示すように、制御装置１０は、金銭収納装置４０と組み合わせて売上登録装置（電子金銭登録機）１００を構成する。制御装置１０は、制御部１、通信部２１、ＮＦＣ通信部２２、記憶部２３、加速度センサ２４、入力操作部３１、および表示部３２を備える。本実施形態において、制御装置１０は、入力操作部３１および表示部３２を一体化したタッチパネルとして備え、加速度センサ２４による画面表示の自動回転機能、およびＮＦＣ通信部２２によるＮＦＣ通信機能を有するスマートフォンやタブレット等の携帯情報端末であり、制御部１が後記機能を有するようにアプリケーションソフトウェアをインストールされている。本実施形態において、制御装置１０は、金銭収納装置４０を横置きで使用する場合には、図１Ｂに示すように金銭収納装置４０の上に斜めに立てかけて使用され、画面サイズは特に限定されないが８インチ型以上の大判のタブレットが好適である。制御装置１０は一方、縦置きで使用する場合には、図２Ｃに示すように、金銭収納装置４０の上に水平に載置され、金銭収納装置４０の短手方向長以下の短辺長のものとし、金銭収納装置４０の外形寸法にもよるが、スマートフォンが好ましい。
【００３６】
制御部１は、売上登録部１１、プリンタ制御部１２、通信制御部１３、ドロア設定部１４、ドロア開閉機構制御部１５、およびドロア姿勢検出部１６を備える。売上登録部１１およびプリンタ制御部１２は、制御装置１０が一般的なキャッシュレジスタの動作を行うために設けられる。ユーザによる入力操作部３１での操作に基づいて、売上登録部１１は商品や金額を入力されて計算、記録等を行い、プリンタ制御部１２は通信部２１とプリンタ９の通信部９２を介して、プリンタ９の制御部９３にレシートＲの印字をさせる。通信制御部１３は、通信部２１を制御して、金銭収納装置４０の通信部７３、プリンタ９の通信部９２、さらに必要に応じて販売情報等を管理するホストコンピュータやサーバ等と接続させ、また接続を解除する。また、通信制御部１３は、ＮＦＣ通信部２２を制御して、ＮＦＣタグ８１またはＮＦＣタグ８２と接続させ、また接続を解除する。
【００３７】
ドロア設定部１４は、接続した金銭収納装置４０を登録し、さらに横置きか縦置きのいずれで使用するかを設定して登録する。ドロア開閉機構制御部１５は、接続した金銭収納装置４０の制御部７１に開閉機構６を制御させて、金銭収納ケース５または開閉蓋４３を開放させる。ドロア姿勢検出部１６は、接続した金銭収納装置４０が横置きまたは縦置きの正しい姿勢であるかを検出する。ドロア設定部１４、ドロア開閉機構制御部１５、およびドロア姿勢検出部１６のそれぞれの動作については、詳細を後記する。
【００３８】
通信部２１は、スマートフォンやタブレットに標準で搭載されているBluetooth（登録商標）やWi-Fi（登録商標）等の無線通信を行うアンテナおよびアナログ回路等からなるユニットであり、金銭収納装置４０の通信部７３およびプリンタ９の通信部９２と通信可能に接続して、送受信を行う。ＮＦＣ通信部２２は、ＮＦＣ用のアンテナおよびアナログ回路等からなり、制御装置１０が金銭収納装置４０に接触することによって、金銭収納装置４０のＮＦＣタグ８１またはＮＦＣタグ８２と、ＮＦＣによる通信可能に接続する。
【００３９】
記憶部２３は、フラッシュメモリやＲＡＭであり、制御部１の売上登録部１１やドロア開閉機構制御部１５等に所定の動作を実行させる開閉制御プログラムを含むプログラム（アプリケーションソフトウェア）や、登録された金銭収納装置４０の情報や販売情報等を格納し、また、入力された金額等を一時的に記憶する。加速度センサ２４は、制御装置１０の姿勢（傾き）を観測し、表示部３２の画面表示の自動回転機能のために搭載される。本実施形態においてはさらに、後記するように、金銭収納装置４０の姿勢を検出するために使用される。
【００４０】
入力操作部３１および表示部３２は、前記したように一体化した液晶や有機ＥＬのタッチパネルである。さらに入力操作部３１は、制御装置１０のタッチパネルの周囲の筐体上に押しボタン等を備えていてもよく、また、制御装置１０がマイクを搭載して音声入力可能な構成であってもよい。表示部３２は、タッチパネルの周囲に赤色や緑色等のＬＥＤ等を備えていてもよく、また、スピーカを備えて音声による通知を行ってもよい。
【００４１】
〔金銭収納装置用制御装置による制御方法〕
本実施形態に係る制御装置１０の、金銭収納装置４０を制御する方法について説明する。まず、制御装置１０の初期動作および金銭収納装置の初期設定について、図４、図５、および図６を参照して説明する。図４は、本発明の実施形態に係る金銭収納装置用制御装置による初期動作および金銭収納装置の初期設定の手順を説明するフローチャートである。図５および図６は、本発明の実施形態に係る金銭収納装置用制御装置の表示画面を示す図であり、図５は金銭収納装置の初期設定画面、図６は売上登録画面である。
【００４２】
（初期動作）
制御装置１０が起動すると、通信制御部１３が、公知の方法により、ＮＦＣ機能を使用して金銭収納装置４０とWi-Fi（登録商標）またはBluetooth（登録商標）で接続する（Ｓ１１〜Ｓ１２）。具体的には、はじめに、通信接続可能な金銭収納装置４０を検出する（Ｓ１１）。なお、制御装置１０は、ＮＦＣ、Wi-FiまたはBluetoothによるそれぞれの接続が許可されるように設定されている。本実施形態では、図１Ｂまたは図２Ｃに示すように、制御装置１０が金銭収納装置４０のＮＦＣタグ８１またはＮＦＣタグ８２の取り付け部位に接触するように載置されている。これにより、接触部位のＮＦＣタグ８１，８２からＮＦＣ通信部２２がWi-FiまたはBluetoothの接続情報を取得し、デバイスすなわち金銭収納装置４０の機器名称を表示部３２（タッチパネル）に表示する。この金銭収納装置４０との接続を許可する場合には、ユーザが表示部３２に表示された機器名称をタップし、通信部２１が金銭収納装置４０の通信部７３と接続する（Ｓ１２，ＹＥＳ）。また、接続可能なデバイスが所定時間以内に検出されなかった（Ｓ１２，ＮＯ）場合には、例えば「接続可能なデバイスはありません」というメッセージと「再試行」と表示されたボタンを表示部３２に表示する（Ｓ１３）。ユーザが前記ボタンをタップする（Ｓ１４）と、ステップＳ１１の実行に移行する。接続可能なデバイスが検出されない原因としては、制御装置１０が金銭収納装置４０のＮＦＣタグ８１，８２の取り付け部位に接触していない、金銭収納装置４０に電源が供給されていない、等が挙げられる。
【００４３】
（金銭収納装置の初期設定）
制御装置１０が金銭収納装置４０と接続すると、ドロア設定部１４が、この金銭収納装置４０について、横置き、縦置きのどちらで使用されるように設定されているか、金銭収納装置４０の記憶部７２から読み出す（Ｓ２１）。この設定が存在しなかった（Ｓ２２，ＮＯ）場合、具体的には金銭収納装置４０が初めて使用される、または設定が消去（初期化）されていた等の場合には、ドロア設定部１４が金銭収納装置４０の使用時の置き方（姿勢）の設定を実行する（Ｓ２３〜Ｓ２８，Ｓ３０ａ，Ｓ３０ｂ）。まず、金銭収納装置の初期設定画面３２１を表示部３２に表示する（Ｓ２３）。図５に示すように、初期設定画面３２１には、上端のステータスバー３２１１、その下のタイトルバー３２１２、およびワークスペース３２１０が表示される。ステータスバー３２１１には、例えば、アプリケーションソフトウェアの名称または制御装置１０の機器名称「ＸＸＸＸＸ」、通信状態、現在日時「19/03/25 09:12」が表示される。タイトルバー３２１２には、例えば、ユーザＩＤ「０９８７６５４３」、作業名称「キャッシュドロア設定」、接続中の金銭収納装置４０の機器名称「ＥＣＲ−００１」が表示される。ワークスペース３２１０には、３つのラジオボタン３２１３，３２１４，３２１５、「戻る」ボタン３２１６、および「実行」ボタン３２１７が表示されている。ワークスペース３２１０においてはさらに、ラジオボタン３２１３に「横置きで使用します」の文字と横置きの金銭収納装置４０の概形の図形が付され、ラジオボタン３２１４に「縦置きで使用します」の文字と縦置きの金銭収納装置４０の概形の図形が付され、ラジオボタン３２１５に「現在の置き方で使用します」の文字が付されている。ユーザがラジオボタン３２１３，３２１４，３２１５の１つをタップして選択し、「実行」ボタン３２１７をタップする（Ｓ２４）。
【００４４】
「現在の置き方で使用します」のラジオボタンを選択する（Ｓ２４、「現在の姿勢で登録」）と、金銭収納装置４０が、横置き（図１Ａ参照）、縦置き（図２Ａ参照）、またはそのいずれでもないかを、ドロア姿勢検出部１６が検出する（Ｓ３０ａ）。金銭収納装置４０が横置きまたは縦置きであると検出された（Ｓ２５，ＹＥＳ）場合、「横置きで使用します」または「縦置きで使用します」の文字、検出された姿勢の金銭収納装置４０の概形の図形（図５参照）、ならびに「登録」ボタンおよび「再試行」ボタンを表示部３２に表示する（Ｓ２６）。ユーザが「登録」ボタンをタップする（Ｓ２７）と、金銭収納装置４０が横置きで、または縦置きで使用されることが記憶部２３および金銭収納装置４０の記憶部７２に書き込まれ、また、表示部３２に、引き続き金銭収納装置４０の置き方（文字、金銭収納装置４０の概形の図形）を表示し（Ｓ２８ａ）、さらに「メニュー画面」ボタンを表示する（Ｓ４４）。ユーザが「メニュー画面」ボタンをタップすると、売上登録部１１が、表示部３２にメニュー画面（図示省略）を表示する（Ｓ４５）。一方、金銭収納装置４０が横置き、縦置きのいずれでもなかった（Ｓ２５，ＮＯ）場合、再び表示部３２に初期設定画面３２１を表示し（Ｓ２３）、その際、初期設定画面３２１上に「ＥＣＲ−００１が正しい向きではありません」のメッセージを重ねて表示する（図示省略）。
【００４５】
「横置きで使用します」または「縦置きで使用します」のラジオボタンを選択する（Ｓ２４、「直接入力」）と、金銭収納装置４０が横置きで、または縦置きで使用されることが記憶部２３および金銭収納装置４０の記憶部７２に書き込まれ、また、表示部３２に金銭収納装置４０の置き方（文字、図形）と「ドロアチェック」ボタンを表示する（Ｓ２８ｂ）。ユーザが「ドロアチェック」ボタンをタップする（Ｓ４１）と、金銭収納装置４０が設定された置き方であるか否かをドロア姿勢検出部１６が検出する（Ｓ３０ｂ）。検出された金銭収納装置４０の姿勢が、記憶部２３または金銭収納装置４０の記憶部７２に記憶された設定と一致した（Ｓ４３，ＹＥＳ）場合、表示部３２に「ドロアチェック完了」の文字と「メニュー画面」ボタンを表示する（Ｓ４４）。一方、金銭収納装置４０が設定された置き方でなかった（Ｓ４３，ＮＯ）場合、表示部３２に、「ＥＣＲ−００１が正しい向きではありません」のメッセージおよび金銭収納装置４０の設定された置き方（図５参照）と共に、初期設定画面３２１を表示する（Ｓ４６，Ｓ２３）。
【００４６】
金銭収納装置４０が横置き、縦置きの一方で使用されるように既に設定されていた（Ｓ２２，ＹＥＳ）場合、設定内容が記憶部２３に書き込まれ、その置き方（文字、図形（図５参照））と「ドロアチェック」ボタンを表示部３２に表示する（Ｓ４１）。
【００４７】
メニュー画面は、各種画面を呼び出すボタン等を表示する。各種画面とは、例えば、担当者（ユーザ）のＩＤを入力するログイン画面、釣銭用の現金を金銭収納装置４０に収納してその金額を入力するつり銭準備画面、売上登録画面（図６参照）、一日の営業を終了したときに金銭収納装置４０内の現金を数えて申告する在高申告画面等である。なお、「メニュー画面」ボタンのタップによらず、自動的にメニュー画面を表示するように設定されていてもよい。または、ログイン画面やつり銭準備画面等、一日の業務の開始に必要な入力を行う画面を表示するように設定されていてもよい。また、ログインについては、制御装置１０を金銭収納装置４０と接続させる（Ｓ１１〜Ｓ１２）前に実行されていてもよい。
【００４８】
図６に示す売上登録画面３２２は、一般的なタッチパネル式のキャッシュレジスタの表示画面の一例である。売上登録画面３２２には、ユーザが入力した商品名や単価を表示する明細欄３２２３、商品の数量や単価を入力するテンキー３２２４、支払いで現金を預かったときにこれを登録し釣銭を計算する「現金」キー３２２５、商品名を付した複数の商品選択ボタン３２２６、両替を行う等の金銭収納装置４０を開放するための「両替」キー３２２７等が表示されている。また、売上登録画面３２２は、初期設定画面３２１と同様に上部にステータスバー３２２１およびタイトルバー３２２２が表示され、タイトルバー３２２２にはさらに、接続中の金銭収納装置４０の機器名称「ＥＣＲ−００１」と共に登録された置き方を表示する。図６では、金銭収納装置４０が横置きで登録されているとして、横長の長方形とその上の「ヨコ」の横書きの文字とでタイトルバー３２２２の右端に表示されている。縦置きの場合には、縦長の長方形とその左の「タテ」の縦書きの文字とで表示される。このような金銭収納装置４０の置き方は、メニュー画面等、金銭収納装置４０の設定登録後の表示画面のタイトルバーにも表示される。
【００４９】
（金銭収納装置の姿勢検出方法）
ここで、金銭収納装置の姿勢検出（Ｓ３０ａ）の手順について、図７を参照して詳細に説明する。図７は、本発明の実施形態に係る金銭収納装置用制御装置による金銭収納装置の姿勢検出手順を説明するフローチャートである。
【００５０】
金銭収納装置４０の姿勢検出が開始されると、ステップＳ１１と同様に、ＮＦＣ通信部２２が金銭収納装置４０のＮＦＣタグ８１またはＮＦＣタグ８２と通信接続する（Ｓ３１）。金銭収納装置４０の第２開口面４ｂのスタンド４４上のＮＦＣタグ８１と接続する（Ｓ３２、「広面のタグ」）と、ドロア姿勢検出部１６は、加速度センサ２４が観測した（Ｓ３３）制御装置１０の姿勢（傾き）が＋２５°〜＋８０°の場合（Ｓ３４，ＹＥＳ）に金銭収納装置４０が横置きであると判定し（Ｓ３７）、それ以外の傾き（Ｓ３４，ＮＯ）では金銭収納装置４０または制御装置１０の姿勢が不適正であると判定する（Ｓ３９ａ）。なお、制御装置１０が表示部３２（タッチパネル）を上に向けて水平であるときを０°とする。一方、金銭収納装置４０の第１開口面４ａの前板５１上のＮＦＣタグ８２と接続する（Ｓ３２、「狭面のタグ」）と、ドロア姿勢検出部１６は、加速度センサ２４が観測した（Ｓ３５）制御装置１０の姿勢（傾き）が０°±５°の場合（Ｓ３６，ＹＥＳ）に金銭収納装置４０が縦置きであると判定し（Ｓ３８）、それ以外の傾き（Ｓ３６，ＮＯ）では姿勢が不適正であると判定する（Ｓ３９ａ）。また、所定時間以内にＮＦＣタグ８１，８２のいずれとも接続しなかった場合（Ｓ３２、「検出なし」）も、金銭収納装置４０または制御装置１０の姿勢が不適正であると判定する（Ｓ３９ｂ）。
【００５１】
なお、金銭収納装置４０の姿勢が設定と一致するかを判定する（Ｓ３０ｂ）場合には、ステップＳ３２において、設定が横置きの場合にはＮＦＣタグ８１（広面のタグ）と接続するか否かのみを判定してもよく、ＮＦＣタグ８１と接続しなかった場合には不一致（姿勢が不適正）と判定する。同様に、設定が縦置きの場合にはＮＦＣタグ８２（狭面のタグ）と接続するか否かのみを判定してもよい。
【００５２】
また、最初に制御装置１０が金銭収納装置４０と接続した（Ｓ１２）以降に、加速度センサ２４が制御装置１０の姿勢の変化を観測していなかった場合には、ステップＳ３０ａ，Ｓ３０ｂにおいてＮＦＣ通信部２２による接続（Ｓ３１）を実行せず、ステップＳ１１〜Ｓ１２で接続したＮＦＣタグ８１，８２に基づいてステップＳ３２の判断を実行してもよい。
【００５３】
（金銭収納装置の開放制御方法）
制御装置１０による売上登録の操作は、一般的なタッチパネル式のキャッシュレジスタと同様である。そして、売上登録画面３２２の「現金」キー３２２５や「両替」キー３２２７をタップすると、現金を出し入れするために金銭収納装置４０が開放される。この他に、メニュー画面からつり銭準備画面や在高申告画面を呼び出したとき等にも、金銭収納装置４０が開放される。このような、売上登録装置１００において金銭収納装置４０を開放する操作（ドロア開放操作）が実行されたときに、金銭収納ケース５および開閉蓋４３の、金銭収納装置４０の置き方に基づいた適切な一方を開放する手順について、図８を参照して説明する。図８は、本発明の実施形態に係る金銭収納装置用制御装置による金銭収納装置の開放手順を説明するフローチャートである。
【００５４】
ユーザが制御装置１０のタッチパネルの所定のキーをタップしてドロア開放操作が実行される（Ｓ４２）と、金銭収納装置４０が設定された置き方であるか否かをドロア姿勢検出部１６が検出する（Ｓ３０ｂ）。ステップＳ３０ｂの詳細については、図７を参照して説明した通りである。検出された金銭収納装置４０の姿勢が、記憶部２３または金銭収納装置４０の記憶部７２に記憶された設定と一致する（Ｓ４３，ＹＥＳ）と、例えば横置きである場合には、ドロア開閉機構制御部１５が、金銭収納装置４０の制御部７１に金銭収納ケース５を開放させる（Ｓ４７）。また、縦置きである場合には、開閉蓋４３を開放させる（Ｓ４７）。そして、制御装置１０の先の操作（Ｓ４２）に基づいた画面を表示部３２に表示する（Ｓ４８）。例えば、メニュー画面でつり銭準備画面の呼び出しを実行した場合には、メニュー画面からつり銭準備画面に切り替わる。一方、金銭収納装置４０が設定された置き方でなかった（Ｓ４３，ＮＯ）場合、表示部３２に、「ＥＣＲ−００１が正しい向きではありません」のメッセージを、ドロア開放操作（Ｓ４２）時の画面上に表示する（Ｓ４６）。
【００５５】
なお、金銭収納装置の初期設定（図４参照）において、ステップＳ４４で「メニュー画面」ボタンを表示する、またはステップＳ４５でメニュー画面を表示すると同時に、金銭収納装置４０が開放されるように設定されていてもよい。
【００５６】
金銭収納装置４０は、前板５１に、開閉蓋４３のように外面（表側）にスタンド等が取り付けられていてもよく、縦置き時においても、制御装置１０に大判のタブレットを適用することができる。この場合には、金銭収納装置の姿勢検出（Ｓ３０ａ，Ｓ３０ｂ、図７参照）において、斜めに立てかけて載置した制御装置１０の姿勢（傾き）に合わせてステップＳ３６の判定条件を設定する。また、金銭収納装置４０の横置き時と縦置き時とで制御装置１０の姿勢（傾き）が異なるように、スタンド４４の形状等を設計することが好ましい。
【００５７】
前記実施形態においては、画面表示の自動回転機能およびＮＦＣ通信機能を有する制御装置によって金銭収納装置の姿勢を検出して開放制御しているが、これらの機能によらず金銭収納装置を開放制御することもできる。以下、本発明の別の実施形態について、図９を参照して説明する。図９は、本発明の別の実施形態に係る金銭収納装置用制御装置、および金銭収納装置用制御装置を使用する金銭収納装置の構成を示すブロック図である。前記実施形態（図１〜８参照）と同一の要素については同じ符号を付し、説明を省略する。
【００５８】
（金銭収納装置用制御装置）
本実施形態に係る金銭収納装置用制御装置（以下、制御装置）１０Ａは、金銭収納装置４０Ａと組み合わせて売上登録装置（電子金銭登録機）１００Ａを構成する。制御装置１０Ａは、制御部１Ａ、通信部２１、記憶部２３、入力操作部３１、および表示部３２を備える。制御部１Ａは、ドロア設定部１４Ａおよびドロア姿勢検出部１６Ａ以外は図３に示す制御装置１０の制御部１と同様の構成である。本実施形態に係る制御装置１０Ａは、画面表示の自動回転機能およびＮＦＣ通信機能がなくてもよく、前記実施形態と同様にスマートフォンやタブレット等を適用してもよいし、入力操作部３１としてキーボードやマウス、表示部３２として液晶ディスプレイ等を備えるノートＰＣ等を適用することもできる。
【００５９】
（金銭収納装置）
金銭収納装置４０Ａは、図１Ａ、図１Ｂ、および図２Ａ〜２Ｃに示す金銭収納装置４０と同様の構造であり、ただし、図９に示すように、ＮＦＣタグ８１，８２に代えてＲＦタグ８１Ａ，８２Ａが取り付けられ、さらにＲＦ受信部７４を内蔵し、また、圧力センサ６７（図２Ｂ参照）を備える。
【００６０】
ＲＦタグ８１ＡおよびＲＦタグ８２Ａは、ＲＦＩＤ（Radio Frequency Identification）用のアンテナ、アナログ回路、および不揮発性メモリ等を備える公知のＲＦタグ（ＩＣタグ）である。ＲＦタグ８１Ａは、金銭収納装置４０が横置きで使用されることをメモリに記憶し、紙幣トレイ５３に取り付けられている。ＲＦタグ８２Ａは、縦置きで使用されることをメモリに記憶し、紙幣トレイ５４に取り付けられる。したがって、金銭収納装置４０Ａは、横置きで使用される場合にはＲＦタグ８１Ａを備え、縦置きで使用される場合にはＲＦタグ８１Ａを備える。ＲＦ受信部７４は、公知のＲＦＩＤリーダーであり、ＲＦタグ８１Ａ，８２Ａのメモリに記憶された情報を読み出す。
【００６１】
圧力センサ６７は、金銭収納装置４０Ａが縦置きに載置されて当該金銭収納装置４０Ａの荷重が加わると、検出信号を出力するように構成され、検出信号は制御部７１に入力される。そのために、圧力センサ６７は、図２Ｂに示すように、金銭収納装置４０Ａが縦置き時に底面となる、第１開口面４ａと対向する面に取り付けられた脚部４７に接続されている。圧力センサ６７は、脚部４７の１つに取り付けられていてもよいし、２以上取り付けられていてもよい。また、金銭収納装置４０Ａは、当該金銭収納装置４０Ａの向きを検出することができればよく、圧力センサ６７に代えて加速度センサを備えていてもよい。
【００６２】
（金銭収納装置用制御装置による制御方法）
本実施形態に係る制御装置１０Ａの、金銭収納装置４０Ａを制御する方法について、図４および図８を参照して、前記実施形態と異なるステップを説明する。ステップＳ１１〜Ｓ１２においては、通信制御部１３が、直接に通信部２１を金銭収納装置４０Ａの通信部７３とBluetooth接続させるか、ＵＳＢで有線接続する。ステップＳ２１においては、ドロア設定部１４Ａが、金銭収納装置４０Ａの記憶部７２から横置き、縦置きの設定情報を読み出すと、金銭収納装置４０Ａの制御部７１がＲＦ受信部７４にＲＦタグ８１ＡまたはＲＦタグ８２Ａの情報を読み出させて、記憶部７２および制御装置１０Ａの記憶部２３に書き込む。したがって、ドロア設定部１４Ａは金銭収納装置の初期設定を行わず、ステップＳ４１に移行する。
【００６３】
ユーザの操作によってステップＳ４１が実行されると、ステップＳ３０ｂを実行し、金銭収納装置４０Ａが設定された置き方であるか否かをドロア姿勢検出部１６Ａが検出する。本実施形態においては、ドロア姿勢検出部１６Ａが、金銭収納装置４０Ａの制御部７１に圧力センサ６７からの信号の有無を確認させる。信号有の場合は縦置きとして、設定と一致するかを判定する。一方、信号無の場合は横置きとみなして設定と一致するかを判定する。ドロア開放操作がされた（Ｓ４２、図８参照）ときも、同様にステップＳ３０ｂを実行する。
【００６４】
本実施形態においては、金銭収納装置４０Ａの姿勢が、縦置きかそれ以外かの２通りのみに判定される。したがって、例えば、図４に示す金銭収納装置４０Ａの最初の姿勢チェック（Ｓ３０ｂ，Ｓ４３）後のステップＳ４４で、表示部３２に、金銭収納装置４０Ａの検出された姿勢を示す文字および図形（図５参照）と共にユーザに目視で確認するようにメッセージを表示したり、金銭収納装置４０Ａが開放されるように設定したりしてもよい。あるいは、金銭収納装置４０Ａは、横置き時に底面となる第２開口面４ｂの対向面にも、脚部４７およびこれに接続する圧力センサ６７を設けていてもよい。
【００６５】
制御装置１０は、金銭収納装置４０Ａと接続してもよく、当該制御装置１０の姿勢と、圧力センサ６７により検出した金銭収納装置４０Ａの姿勢とから、金銭収納装置４０Ａの姿勢が設定と一致するか判定することができる。また、金銭収納装置４０，４０Ａはプリンタ９を内蔵しなくてもよく、この場合には、売上登録装置１００，１００Ａにおいて、プリンタ９を別途備えて、制御装置１０，１０Ａと通信接続する。また、売上登録装置１００，１００Ａにおいて、ＩＣカードリーダー（図示省略）を備えて、制御装置１０，１０Ａと通信接続してもよく、クレジットカード決済が可能となる。また、金銭収納装置４０，４０Ａは外形が直方体に限られず、例えば、横置きにおいて上を向く第２開口面４ｂが、正面に向かって下がるように傾斜していたり凸状に湾曲していたりしてもよい。
【００６６】
本発明は、上記実施形態に限定されることなく、本発明の趣旨を逸脱しない範囲で、変更実施が可能である。
【００６７】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段を制御する金銭収納装置用制御装置であって、
前記施錠手段による施錠を前記開閉蓋毎に解錠制御する解錠制御手段と、
前記２つの開閉蓋の一方を、前記解錠制御手段が解錠制御可能とするように、ユーザの操作に基づいて設定する初期設定手段と、を備え、
前記解錠制御手段は、所定のユーザ操作が行われると、前記初期設定手段が設定した前記開閉蓋を解錠することを特徴とする金銭収納装置用制御装置。
《請求項２》
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段を制御する金銭収納装置用制御装置であって、
前記施錠手段による施錠を前記開閉蓋毎に解錠制御する解錠制御手段と、
前記金銭収納装置の姿勢を検知する姿勢検知手段と、を備え、
前記解錠制御手段は、所定のユーザ操作が行われ、かつ、前記姿勢検知手段が検知した前記金銭収納装置の姿勢が予め設定された姿勢であったときに、前記２つの開閉蓋のうちの予め設定された所定の一方を解錠することを特徴とする金銭収納装置用制御装置。
《請求項３》
前記姿勢検知手段は、当該金銭収納装置用制御装置の傾きを計測し、前記傾きに基づいて、前記金銭収納装置の姿勢を検知することを特徴とする請求項２に記載の金銭収納装置用制御装置。
《請求項４》
無線通信手段を備えて、前記金銭収納装置と無線通信接続可能であり、
前記金銭収納装置との無線通信により、前記施錠手段を解錠制御することを特徴とする請求項１ないし請求項３のいずれか一項に記載の金銭収納装置用制御装置。
《請求項５》
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置、
および請求項１ないし請求項４のいずれか一項に記載の金銭収納装置用制御装置を備える電子金銭登録機。
《請求項６》
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段をコンピュータで制御する開閉制御プログラムであって、
前記コンピュータを、
前記施錠手段による施錠を前記開閉蓋毎に解錠制御する解錠制御手段、
および、前記２つの開閉蓋の一方を、前記解錠制御手段が解錠制御可能とするように、ユーザの操作に基づいて設定する初期設定手段、として機能させ、
前記解錠制御手段は、所定のユーザ操作が行われると、前記初期設定手段が設定した前記開閉蓋を解錠することを特徴とする開閉制御プログラム。
《請求項７》
互いに交差する２つの面のそれぞれに開口部が設けられた筐体と、前記開口部毎に設けられてそれぞれに対応する前記開口部を開閉する２つの開閉蓋と、前記開閉蓋毎に対応する前記開口部を当該開閉蓋で閉じた状態に施錠可能な施錠手段と、を備える金銭収納装置の、前記施錠手段をコンピュータで制御する開閉制御プログラムであって、
前記コンピュータを、
前記施錠手段による施錠を前記開閉蓋毎に解錠制御する解錠制御手段、
および、前記金銭収納装置の姿勢を検知する姿勢検知手段、として機能させ、
前記解錠制御手段は、所定のユーザ操作が行われ、かつ、前記姿勢検知手段が検知した前記金銭収納装置の姿勢が予め設定された姿勢であったときに、前記２つの開閉蓋のうちの予め設定された所定の一方を解錠することを特徴とする開閉制御プログラム。
【符号の説明】
【００６８】
１００，１００Ａ  売上登録装置（電子金銭登録機）
１０，１０Ａ  制御装置（金銭収納装置用制御装置）
１，１Ａ  制御部
１１    売上登録部
１２    プリンタ制御部
１３    通信制御部
１４    ドロア設定部（初期設定手段）
１４Ａ  ドロア設定部
１５    ドロア開閉機構制御部（解錠制御手段）
１６，１６Ａ  ドロア姿勢検出部（姿勢検知手段）
２１    通信部
２３    記憶部
２４    加速度センサ
４０，４０Ａ  金銭収納装置
４ａ    第１開口面
４ｂ    第２開口面
４１    筐体
４３    開閉蓋
５      金銭収納ケース
５１    前板（開閉蓋）
６      開閉機構
６７    圧力センサ
７３    通信部
９      プリンタ
【図１Ａ】
2020160625.tif 000003
【図１Ｂ】
2020160625.tif 000004
【図２Ａ】
2020160625.tif 000005
【図２Ｂ】
2020160625.tif 000006
【図２Ｃ】
2020160625.tif 000007
【図３】
2020160625.tif 000008
【図４】
2020160625.tif 000009
【図５】
2020160625.tif 000010
【図６】
2020160625.tif 000011
【図７】
2020160625.tif 000012
【図８】
2020160625.tif 000013
【図９】
2020160625.tif 000014